(57)【要約】【課題】遊技球が第２誘導路に振り分けられた場合でも遊技者の期待が最後まで持続する大入賞装置を備えた遊技機を提供する。【解決手段】本発明に係る遊技機は、遊技球が入球可能な始動口３３と、遊技球が入球不可能な閉口状態および前記遊技球が入球可能な開口状態に変化可能な大入賞口３６を有し、始動口３３への入球により開口された大入賞口に遊技球が入賞されるとともに該遊技球がＶ入賞口１０４に入賞されることで大当り遊技を発生させる大入賞装置３５と、を備え、大入賞装置３５は、大入賞口３６に入賞された遊技球が第１誘導路１０１又は該第１誘導路に比べてＶ入賞確率が低い第２誘導路１０２に振り分けられる第１振分装置と、第１誘導路又は第２誘導路によって誘導された遊技球がＶ入賞口に入賞する大当り又はＶ入賞口に入賞しない外れに振り分けられる第２振分装置と、を具備することを特徴とする。【選択図】      図１
2008178460.tif 000002
【特許請求の範囲】
【請求項１】
遊技球が転動可能な遊技領域を有する遊技盤と、
前記遊技盤の遊技領域内に設けられ、遊技球が入球可能な始動口と、
前記遊技盤の遊技領域内に設けられた大入賞装置であって、前記遊技球が入球不可能な閉口状態および前記遊技球が入球可能な開口状態に変化可能な大入賞口を有し、前記始動口への入球により開口された前記大入賞口に遊技球が入賞されるとともに該遊技球がＶ入賞口に入賞されることで大当り遊技を発生させる大入賞装置と、
を備え、
前記大入賞装置は、
前記大入賞口に入賞された遊技球が第１誘導路又は該第１誘導路に比べてＶ入賞確率が低い第２誘導路に振り分けられる第１振分装置と、
前記第１誘導路又は前記第２誘導路によって誘導された前記遊技球が前記Ｖ入賞口に入賞する大当り又は前記Ｖ入賞口に入賞しない外れに振り分けられる第２振分装置と、
を具備し、
前記第２振分装置は、前記第１誘導路の下流側に接続され且つ前記第２誘導路の下流側に配置された回転体と、前記回転体を回転させる回転駆動機構と、前記回転体の下流側又は前記回転体上に配置された前記Ｖ入賞口と、前記Ｖ入賞口に入賞しない外れに振り分けられた遊技球が排出される第１排出通路とを有し、
前記回転体の上面の周縁の一部上には障害壁が設けられ、
前記第１排出通路は前記回転体の周囲又は前記回転体上に設けられ、
前記第１誘導路によって誘導された前記遊技球は前記障害壁が何れの位置にあっても該障害壁に妨げられることなく前記回転体の上面に到達するように、前記第１誘導路の出口は前記障害壁よりも高い位置で前記回転体に臨んでおり、
前記第２誘導路によって誘導された前記遊技球は、前記第２誘導路の出口に前記障害壁が臨んだ状態では該障害壁に妨げられて第２排出通路へ排出され、且つ前記第２誘導路の出口に前記障害壁が臨んでない状態では前記回転体の上面に到達するように、前記第２誘導路の出口は前記障害壁よりも低い位置で前記回転体に臨んでいることを特徴とする遊技機。
【発明の詳細な説明】
【技術分野】
【０００１】
本発明は、入賞した遊技球を第１誘導路又は第２誘導路へ振り分けるようにした大入賞装置を備えた遊技機に関する。特には、簡単な構造変更で第２誘導路経由でのＶ入賞確率を変更することができ、しかも遊技球が第２誘導路に振り分けられた場合でも遊技者の期待が最後まで持続する大入賞装置を備えた遊技機に関する。
【背景技術】
【０００２】
従来の遊技機には、大入賞装置へ入球した遊技球を、遊技者に有利な第１誘導路又は第１誘導路に比べて遊技者に不利な第２誘導路へ振り分けるようにしたものが存在する（例えば非特許文献１参照）。
例えば「志村ワールド」では、第１誘導路へ振り分けられた遊技球は、一つのＶ入賞口を含む少数の穴が設けられた回転体に至り、第２誘導路へ振り分けられた遊技球は、第１誘導路を経由する場合よりもＶ入賞確率の低い可動役物に至る。
【０００３】
また例えば「爆走Ｒ２４１」では、第１誘導路へ振り分けられた遊技球は、一つのＶ入賞口を含む少数の穴が設けられた第１回転体に至り、第２誘導路へ振り分けられた遊技球は、一つのＶ入賞口を含む多数の穴が設けられた第２回転体に至る。第２回転体は第１回転体よりＶ入賞確率が低いものである。
【０００４】
【非特許文献１】パチンコ必勝ガイド２００６年８月２０日号  発行所：株式会社白夜書房（１２８頁〜１３１頁）
【発明の開示】
【発明が解決しようとする課題】
【０００５】
上記従来の遊技機のように、第１誘導路を経由する場合と第２誘導路を経由する場合とでＶ入賞確率に高低差を設けた別の役物を用いると、大入賞装置へ入球した遊技球が振り分けられた時点で、遊技者の期待度が決まってしまう。また、誘導路毎に別の役物を用いることはコスト高となるし、誘導路の取り回しが複雑になる。
【０００６】
また、上記従来の遊技機において第２誘導路経由でのＶ入賞確率を変更しようとすると、「志村ワールド」にあっては可動役物の球通路構造や可動物の作動タイミングを変更したり、「爆走Ｒ２４１」にあっては第２回転体の穴の数を変えたりする等、大幅な設計変更が必要となり不便である。
【０００７】
本発明は上記のような事情を考慮してなされたものであり、その目的は、簡単な構造変更で第２誘導路経由でのＶ入賞確率を容易に変更するとともに遊技球が第２誘導路に振り分けられた場合でも遊技者の期待が最後まで持続する大入賞装置を備えた遊技機を提供することにある。
【課題を解決するための手段】
【０００８】
本発明に係る遊技機では、一つの回転体を共用するために第２誘導路から誘導された遊技球の一部を回転体へ至らせないように、換言すれば第２誘導路へ振り分けられた遊技球のＶ入賞確率を低くするように、回転体の上面の周縁の一部上に障害壁を設けている。
【０００９】
つまり、第１誘導路又は第２誘導路によって誘導された遊技球をＶ入賞口に入賞する大当り又は前記Ｖ入賞口に入賞しない外れに振り分けるための回転体を一つとして構造を簡素化するとともに、前記第１誘導路の下流側且つ前記第２誘導路の下流側に一つの回転体を設けることにより遊技球が第２誘導路に振り分けられた場合でも最後まで遊技者の期待を持続させるようにする。
【００１０】
さらに、第１誘導路経由と第２誘導路経由とでＶ入賞確率を異ならせることを、回転体の上面の周縁の一部上に障害壁を設けることで簡単に具現化でき、なおかつＶ入賞確率の調節も前記障害壁の長さや高さを変えることで簡単に行うことができる。
【発明を実施するための最良の形態】
【００１１】
以下、図面を参照して本発明の実施の形態について説明する。
本発明の実施の形態による遊技機は大入賞装置３５を備えており、この大入賞装置３５は、パチンコ球が始動口３３に入賞すると大入賞口（羽根）３６が開放され、この大入賞口３６にパチンコ球が入賞すると、このパチンコ球はＶ入賞確率の高い第１誘導路１０１又はＶ入賞確率の低い第２誘導路１０２に振り分けられ、第１誘導路１０１又は第２誘導路１０２のいずれかを通ったパチンコ球がＶ入賞口１０４に入賞することにより大当りを発生させるものである（図１参照）。
【００１２】
１．遊技機の機械的構成および電気的構成について
パチンコホールの台島には、図２および図３に示すように、外枠１が設置されている。この外枠１は前後面が開口する四角筒状をなすものであり、外枠１の前端面には前枠２が左側辺部の垂直な軸を中心に回動可能に装着されている。この前枠２の前面には、下端部に位置して横長な長方形状の下皿板３が固定されており、下皿板３の前面には上面が開口する下皿４が固定されている。また、前枠２の前面には下皿板３の上方に位置して上皿板５が装着されており、上皿板５の前面には上面が開口する上皿６が固定されている。この上皿板５の後面には右端部に位置してスピーカ７が固定されており、スピーカ７の駆動時にはスピーカ７から前方の遊技者に遊技音が出力される。
【００１３】
下皿板３の前面には右端部に位置してハンドル台８が固定されており、ハンドル台８には発射ハンドル９が前後方向へ延びる水平な軸を中心に回動可能に装着されている。この発射ハンドル９の後方には、図３に示すように、発射モータ１０が固定されており、発射モータ１０の回転軸には、図２に示すように、打球槌１１が連結されている。この発射モータ１０は打球槌１１の駆動源に相当するものであり、発射ハンドル９が図２の時計回り方向へ回動操作されたときには発射モータ１０に駆動電源が与えられ、打球槌１１が駆動することに基づいて上皿６内のパチンコ球を上皿６内から弾き出す。
【００１４】
前枠２の前面には、図２に示すように、矩形状の窓枠１２が左側辺部の垂直な軸を中心に回動可能に装着されており、窓枠１２の内周面には透明なガラス窓１３が固定されている。また、前枠２の後面には額縁状の機構盤が固定されている。この機構盤には正方形状の遊技盤１４（図１参照）が着脱可能に装着されており、遊技盤１４は窓枠１２のガラス窓１３により前方から覆われている。
【００１５】
遊技盤１４の前面には、図１に示すように、外レール１５および内レール１６が固定されている。これら外レール１５および内レール１６間には左側部に位置して発射通路１７が形成されており、打球槌１１が弾いたパチンコ球は発射通路１７内を通って上昇する。また、遊技盤１４には遊技領域１８が形成されており、遊技領域１８内には複数の障害釘（図示せず）が打込まれている。この遊技領域１８は外レール１５および内レール１６によって囲まれた円形領域（発射通路１７を除く残余領域）を称するものであり、発射通路１７内を上昇するパチンコ球は発射通路１７の出口２０から遊技領域１８内に放出され、障害釘に当りながら遊技領域１８内を落下する。即ち、遊技領域１８は発射通路１７の出口２０から放出されたパチンコ球が転動可能な最大範囲である転動領域に相当する。
【００１６】
窓枠１２には、図２に示すように、ガラス窓１３の外周部に位置して複数のランプカバー２１が固定されており、各ランプカバー２１の後方には複数のＬＥＤ２２が配置されている。これら各ＬＥＤ２２は窓枠２１に固定されたものであり、各ランプカバー２１は後方のＬＥＤ２２が発光することに基づいて照明される。
【００１７】
遊技盤１４の前面には、図１に示すように、遊技領域１８内に位置して表示台板２３が固定されている。この表示台板２３は横長な長方形状の開口部２４を有するものであり、表示台板２３の後面には液晶表示領域を有する液晶表示装置２５が固定されている。液晶表示装置２５の液晶表示領域は開口部２４を通して前方から視覚的に認識可能にされている。
【００１８】
液晶表示装置２５の後面には図柄基板ケースが固定されており、図柄基板ケース内には図柄制御基板が収納されている。この図柄制御基板には、図４に示すように、図柄制御装置２６および駆動回路２７が搭載されており、液晶表示装置２５は駆動回路２７を介して図柄制御装置２６に電気的に接続されている。この図柄制御装置２６は液晶表示装置２５の表示内容を制御するものであり、ＣＰＵ２８・ＶＤＰ２９・ＲＯＭ３０・ＲＡＭ３１・Ｉ／Ｏ３２を有している。
【００１９】
遊技盤１４の遊技領域１８内には、図１に示すように、表示台枠２３の下方左側に位置して上面が開口するポケット状の始動口３３が固定されている。この始動口３３内には近接スイッチからなる始動口センサ３４（図４参照）が固定されており、始動口センサ３４は始動口３３内にパチンコ球が入賞したことを検出して始動信号を出力する。
【００２０】
遊技盤１４の遊技領域１８内には、図１に示すように、始動口３３の上方に位置する大入賞装置３５が配置されている。この大入賞装置３５は、パチンコ球が入球不可能な閉口状態およびパチンコ球が入球可能な開口状態に変化可能な大入賞口（羽根）３６を有し、始動口３３への入球により開口された大入賞口３６にパチンコ球が入賞されるとともに該パチンコ球がＶ入賞口１０４に入賞されることで大当り遊技を発生させる装置である。
【００２１】
大入賞装置３５は、大入賞口３６から入賞したパチンコ球を第１誘導路（甘ルート）１０１又は第２誘導路（辛ルート）１０２に振り分ける誘導路振分装置（前記第１振分装置に相当）３７と、第１誘導路１０１及び第２誘導路１０２それぞれの下流側に設けられた剣山状回転体１０３と、剣山状回転体１０３の下流側に設けられたＶ入賞口１０４を有する振り子装置を備えている（剣山状回転体１０３およびＶ入賞口１０４は前記第２振分装置に相当する）。前記振り子装置は、Ｖ入賞口１０４を左右に振り子動作させる振り子駆動機構を有している。
【００２２】
大入賞口３６は前面を開口するための扉を有している。この扉が回動可能に装着されており、扉は大入賞口ソレノイド３９（図４参照）のプランジャに機械的に連結されている。この大入賞口ソレノイド３９は、扉を垂直状態に回動操作することに基づいて大入賞口３６の前面を閉口し、扉を前方へ倒れた水平状態に回動操作することに基づいて大入賞口３６の前面を開口する。この大入賞口３６内には近接スイッチからなるカウントセンサ４０（図４参照）が固定されており、カウントセンサ４０は大入賞口３６内にパチンコ球が入賞したことを検出してカウント信号を出力する。
【００２３】
第１誘導路１０１は、演出用スイッチ１０５、螺旋通路１０６及び下方ステージ１０７を有しており、下方ステージ１０７の下流側には剣山状回転体１０３が配置されている。第１誘導路１０１によってパチンコ球は剣山状回転体１０３の上部に誘導される。第１誘導路１０１が甘ルートである理由は、第１誘導路１０１に振り分けられたパチンコ球が必ず剣山状回転体１０３に到達できるようになっているためである。
【００２４】
第２誘導路１０２は、演出用スイッチ１０８、シーソー振分装置３８及び下方ステージ１０９を有しており、下方ステージ１０９の下流側には剣山状回転体１０３が配置されている。第２誘導路１０２が辛ルートであるのは、第２誘導路１０２に振り分けられたパチンコ球が更にシーソー振分装置３８で振り分けられ且つ剣山状回転体１０３の入り口で振り分けられることにより必ずしも剣山状回転体１０３に到達できるわけではないためである。
【００２５】
剣山状回転体１０３は、その上面に複数の突起１１０を有する円盤状部材１１１が回転するものであり、この上面に到達したパチンコ球が突起１１０によって種々の方向に進みながら前記上面からＶ入賞口１０４側に落下するようになっている（図６及び図７参照）。そして、剣山状回転体１０３の出口から落下したパチンコ球が左右に振れる（振り子動作している）Ｖ入賞口１０４に入賞すると大当り遊技が発生し、前記落下したパチンコ球がＶ入賞口１０４に入賞しないと外れとなり大当り遊技が発生しない。
【００２６】
遊技盤１４の後面には、図３に示すように、表示台枠２３の後方に位置してセンタカバー４１が着脱可能に装着されている。このセンタカバー４１は前面が開口する容器状をなすものであり、液晶表示装置２５および図柄基板ケースは後方からセンタカバー４１によって覆われている。
【００２７】
遊技盤１４の後面にはセンタカバー４１内に位置して音光基板ケースが固定されており、音光基板ケース内には音光制御基板が収納されている。この音光制御基板には、図４に示すように、音制御装置４２および駆動回路４３が搭載されており、スピーカ７は駆動回路４３を介して音制御装置４２に電気的に接続されている。この音制御装置４２はＣＰＵ４４・ＲＯＭ４５・ＲＡＭ４６・Ｉ／Ｏ４７を有するものであり、駆動回路４３を通してスピーカ７を鳴動制御する。
【００２８】
音光制御基板には光制御装置４８および駆動回路４９が搭載されており、複数のＬＥＤ２２は駆動回路４９を介して光制御装置４８に電気的に接続されている。この光制御装置４８はＣＰＵ５０・ＲＯＭ５１・ＲＡＭ５２・Ｉ／Ｏ５３を有するものであり、駆動回路４９を通して複数のＬＥＤ２２を発光制御する。
【００２９】
前枠２の後面には、図３に示すように、メインセット５４が着脱可能に装着されている。このメインセット５４はセンタカバー４１を囲う矩形枠状をなすものであり、センタカバー４１はメインセット５４の内周部に収納されている。このメインセット５４の後面には上端部に位置して球タンク５５が固定されており、球タンク５５内にはパチンコ球が貯溜されている。また、メインセット５４の後面にはタンクレール５６が固定されている。このタンクレール５６は傾斜樋状をなすものであり、タンクレール５６の右端部は球タンク５５内に接続されている。
【００３０】
メインセット５４の左側部には賞球払出装置５７が着脱可能に装着されている。この賞球払出装置５７は払出モータ５８（図４参照）を駆動源とするものであり、パチンコ球が始動口３３内および大入賞口３６内に入賞することに基づいてパチンコ球を賞品球として放出する。
【００３１】
メインセット５４には下皿通路が設けられている。この下皿通路の上端部は賞球払出装置５７に接続されており、賞球払出装置５７から放出されたパチンコ球は下皿通路内を落下する。また、下皿通路の途中部分には上皿通路が設けられている。この上皿通路は上皿６内に接続されており、賞球払出装置５７から放出されたパチンコ球は下皿通路内から上皿通路内に転がり込み、上皿通路内を通して上皿６内に払出される。また、下皿通路の下端部は下皿４に接続されており、パチンコ球が上皿６内から溢れて上皿通路内に充満した状態では下皿通路の下端部を通して下皿４内に払出される。
【００３２】
メインセット５４の後面には、図３に示すように、センタカバー４１の下方に位置してメイン基板ケース５９が固定されている。このメイン基板ケース５９内にはメイン制御基板が収納されており、メイン制御基板には、図４に示すように、メイン制御装置６０が搭載されている。このメイン制御装置６０はＣＰＵ６１・ＲＯＭ６２・ＲＡＭ６３・Ｉ／Ｏ６４を有するものであり、メイン制御装置６０には始動口センサ３４およびカウントセンサ４０が電気的に接続されている。また、メイン制御装置６０には駆動回路６５を介して大入賞口ソレノイド３９が電気的に接続されている。この駆動回路６５はメイン制御基板に搭載されたものであり、メイン制御装置６０は大入賞口ソレノイド３９を駆動回路６５を通して駆動制御し、大入賞口３６の扉を開閉操作する。
【００３３】
メインセット５４の後面には、図３に示すように、メイン基板ケース５９の前方に位置して払出基板ケース６６が固定されており、払出基板ケース６６内には払出制御基板が収納されている。この払出制御基板には、図４に示すように、払出制御装置６７が搭載されており、払出制御装置６７はメイン制御装置６０に電気的に接続されている。この払出制御装置６７はＣＰＵ６８・ＲＯＭ６９・ＲＡＭ７０・Ｉ／Ｏ７１を有するものであり、メイン制御装置６０は始動口センサ３４からの始動信号およびカウントセンサ４０からのカウント信号を検出することに基づいて払出制御装置６７に賞球コマンドおよび賞球データを送信する。
【００３４】
払出制御装置６７には駆動回路７２を介して払出モータ５８が電気的に接続されている。この駆動回路７２は払出制御基板に搭載されたものであり、払出制御装置６７は駆動回路７２を通して払出モータ５８を駆動制御する。この払出モータ５８の駆動量は払出制御装置６７がメイン制御装置６０からの賞球コマンドを検出することに基づいて賞球データに応じて設定するものであり、払出制御装置６７は払出モータ５８を駆動制御することに基づいて賞球払出装置５７から上皿６内に賞球データに応じた個数のパチンコ球を賞品球として払出す。
【００３５】
メイン制御装置６０には演出制御装置７３が電気的に接続されている。この演出制御装置７３はＣＰＵ７４・ＲＯＭ７５・ＲＡＭ７６・Ｉ／Ｏ７７を有するものであり、メイン制御装置６０は始動口センサ３４からの始動信号を検出したことを条件に遊技データを設定し、演出制御装置７３に送信する。この演出制御装置７３には図柄制御装置２６・音制御装置４２・光制御装置４８が電気的に接続されており、演出制御装置７３はメイン制御装置６０からの遊技データに基づいて演出パターンを設定し、図柄制御装置２６・音制御装置４２・光制御装置４８に送信する。この演出パターンは液晶表示装置２５の駆動内容を時系列で示すシーケンスデータからなるものであり、図柄制御装置２６・音制御装置４２・光制御装置４８は演出制御装置７３からの演出パターンに基づいて液晶表示装置２５を駆動制御することで図柄遊技を映像・音・光で組成する。
【００３６】
演出制御装置７３には操作手段に相当する操作スイッチ７８が電気的に接続されている。この操作スイッチ７８は、図２に示すように、上皿６に前方から操作可能に固定された自己復帰形のプッシュスイッチからなるものであり、操作スイッチ７８の操作時には操作スイッチ７８から演出制御装置７３に操作信号が出力される。
【００３７】
２．遊技機の遊技機能について
遊技者が上皿６内にパチンコ球を投入して発射ハンドル９を時計回り方向へ回動操作すると、遊技盤１４内にパチンコ球が発射され、障害釘に当りながら落下する。このパチンコ球が始動口３３内に入賞すると、賞球払出装置５７から設定個数のパチンコ球が上皿６内に賞品球として払出されるとともに大入賞装置３５が作動する。大入賞装置３５は、開口された大入賞口３６にパチンコ球が入賞されるとともに該パチンコ球がＶ入賞口１０４に入賞されることで大当り遊技を発生させ、大入賞口３６にパチンコ球が入球されても該パチンコ球がＶ入賞口１０４に入賞されないと外れとなり大当り遊技は発生しない。
【００３８】
３．大入賞装置の動作の概要について
図５は、大入賞装置３５の動作上の流れを示す図である。
パチンコ球が始動口３３に入球すると（ステップＳ１）、大入賞口３６が開放され（ステップＳ２）、大入賞口３６に入賞したパチンコ球は誘導路振分装置３７によって第１誘導路（甘ルート）１０１又は第２誘導路（辛ルート）１０２に振り分けられる（ステップＳ３）。
【００３９】
第１誘導路１０１に振り分けられたパチンコ球は、演出用スイッチ１０５を通過後、螺旋通路１０６を経て下方ステージ１０７に進み、全て剣山状回転体１０３の上面に到達し（ステップＳ４、ステップＳ９）、剣山状回転体１０３の出口から落下したパチンコ球が振り子装置で振り子動作しているＶ入賞口１０４に入賞すると大当りとなる（ステップＳ１１、ステップＳ１２）。また、剣山状回転体１０３の出口から落下したパチンコ球が振り子装置で振り子動作しているＶ入賞口１０４に入賞しないと外れ（アウト）となる（ステップＳ１１、ステップＳ１３）。
【００４０】
また、第２誘導路１０２に振り分けられたパチンコ球は、演出用スイッチ１０８を経過後、シーソー振分装置３８に進み、シーソー振分装置３８によって剣山状回転体１０３の入り口（即ち第２誘導路１０２の出口）に振り分けられるか（ステップＳ６、ステップＳ７）又は第２誘導路１０２の外である排出通路に振り分けられて外れ（アウト）となる（ステップＳ６、ステップＳ８）。
【００４１】
また、剣山状回転体１０３の入り口に振り分けられたパチンコ球は、剣山状回転体１０３の上面に到達するか（ステップＳ９）又は第２誘導路１０２の外である排出通路に振り分けられて外れ（アウト）となる（ステップＳ１０）。
【００４２】
また、剣山状回転体１０３の上面に振り分けられたパチンコ球は剣山状回転体１０３の出口から落下し、この落下したパチンコ球が振り子装置で振り子動作しているＶ入賞口１０４に入賞すると大当りとなる（ステップＳ１１、ステップＳ１２）。また、剣山状回転体１０３の出口から落下したパチンコ球が振り子装置で振り子動作しているＶ入賞口１０４に入賞しないと外れ（アウト）となる（ステップＳ１１、ステップＳ１３）。
【００４３】
４．大入賞装置の機械的構成の詳細について
４−１．剣山状回転体及びＶ入賞口を備えた振り子装置
図６は、図１に示す剣山状回転体１０３及びＶ入賞口１０４を備えた振り子装置を詳細に示す斜視図である。図７は、図６に示す剣山状回転体１０３及びＶ入賞口１０４を模式的に示す図である。図８は、図６及び図７に示すＶ入賞口１０４の詳細を示す平面図である。
【００４４】
図６〜図８に示すように、剣山状回転体１０３は、その上面に複数の突起１１０を有する円盤状部材１１１と、円盤状部材１１１の上面の周縁上に設けられた３枚の障害壁１１２によって構成されている。この円盤状部材１１１は、回転駆動機構によって図７及び図８に示す矢印１１３のように回転するようになっている。この回転駆動機構は、歯車１１７と、この歯車１１７の下方に配置された第１モータ（図示せず）とを有しており、第１モータによって歯車１１７を矢印１１４のように回転させ、この回転力を円盤状部材１１１に伝達することにより円盤状部材１１１を矢印１１３のように回転させるものである。
【００４５】
剣山状回転体１０３の周囲には側壁１２１が配置されており、この側壁１２１によって剣山状回転体１０３の入り口１０１ａ，１０１ｂおよび剣山状回転体１０３の出口１０３ａが形成されている。尚、側壁１２１の大きさや形状は種々変更可能である。
【００４６】
第１誘導路１０１の出口（即ち剣山状回転体の入り口）１０１ａは３枚の障害壁１１２よりも高い位置で剣山状回転体１０３に臨んでいる。従って、パチンコ球が始動口３３へ入球することにより大入賞口３６が開口されるとともに剣山状回転体１０３が回転駆動機構によって回転された状態で、大入賞口３６に入賞され、第１の誘導路１０１によって誘導されたパチンコ球１１８は、障害壁１１２が何れの位置にあっても障害壁１１２に妨げられることなく剣山状回転体１０３の上面に到達することができる。
【００４７】
第２誘導路１０２の出口（即ち剣山状回転体の入り口）１０２ａは３枚の障害壁１１２よりも低い位置で剣山状回転体１０３に臨んでいる。従って、パチンコ球が始動口３３へ入球することにより大入賞口３６が開口されるとともに剣山状回転体１０３が回転駆動機構によって回転された状態で、大入賞口３６に入賞され、第２の誘導路１０２によって誘導されたパチンコ球１１９は、第２誘導路１０２の出口１０２ａに障害壁１１２が臨んだ状態では障害壁１１２に妨げられて剣山状回転体１０３の上面に到達できず、排出通路１２０へ排出される。しかし、前記パチンコ球１１９は、第２誘導路の出口１０２ａに障害壁１１２が臨んでない状態では剣山状回転体１０３の上面に到達することができ、排出通路１２０へ排出されない。排出通路１２０は、剣山状回転体１０３の周囲に設けられ且つ第２誘導路１０２の出口１０２ａに連接して設けられている。尚、排出通路１２０は、その入り口が剣山状回転体１０３上に開いている構成としても良い。
【００４８】
第１誘導路１０１又は第２誘導路１０２を経由して剣山状回転体１０３の上面に進入できたパチンコ球は、突起１１０と側壁１２１に衝突することにより様々な方向へ不規則に転動しながら剣山状回転体の出口１０３ａに向かう。第２誘導路１０２の出口１０２ａから剣山状回転体１０３の上面にパチンコ球１１９が進入するには障害壁１１２がない場所（３箇所）から進入することになる。複数の突起１１０は均一に配置されてなく、前記３箇所それぞれ毎にパチンコ球１１９の動きが変わるように突起１１０のレイアウトを均一ではなくしている。突起１１０のレイアウトを均一にすると、剣山状回転体１０３への進入口が３箇所と複数あったとしても、３箇所の進入口それぞれから進入した後のパチンコ球の動きがどれも同じようなものになってしまう。これに対し、突起１１０のレイアウトを均一ではなくすると、３箇所の進入口それぞれから進入した後のパチンコ球の動きに変化を持たせることができる。
【００４９】
尚、障害壁１１２は３枚以外の枚数としても良い。また、パチンコ球の動きに変化を与える突起１１０を例えば段差や電気的な可動物に変更しても良い。
【００５０】
剣山状回転体１０３の出口１０３ａの下方にはＶ入賞口１０４を有する振り子装置が配置されている。この振り子装置は、Ｖ入賞口１０４を左右に振り子動作させる振り子駆動機構を有している。この振り子駆動機構は、図８に示すくの字形状部材１２２と、くの字形状部材１２２のくの字に折れ曲がった部分を中心１２２ａとして振り子動作させる駆動源となる第２モータ（図示せず）とを有している。くの字形状部材１２２における前記中心１２２ａの一方側にはＶ入賞口１０４が設けられている。くの字形状部材１２２における前記中心１２２ａの他方側には長手方向に沿った長い穴１２３が設けられている。この長い穴１２３には突起部材１２４ａが挿入されており、この突起部材１２４ａは長い穴１２３内を自在にスライドするようになっている。突起部材１２４ａは回転部材１２４の上面に設けられており、回転部材１２４は前記第２モータによって回転するようになっている。
【００５１】
すなわち、前記第２モータによって回転部材１２４を左方向１１５と右方向１１６に交互に回転させることにより、この回転力が突起部材１２４ａ及び長い穴１２３を介してくの字形状部材１２２に伝達される。これにより、くの字形状部材１２２は中心１２２ａを軸として矢印１２５の方向と矢印１２６の方向に交互に回転してＶ入賞口１０４が振り子動作される。
【００５２】
くの字形状部材１２２の一方側にＶ入賞口１０４を配置することにより、図８に示すように回転部材１２４の下方に第２モータが配置されることになり、前述したように第１モータは歯車１１７の下方に配置されている。従って、前記第２モータを前記第１モータに干渉しないように配置することが可能となる。よって、省スペースに第１モータ及び第２モータを配置することができる。
【００５３】
図７に示すように、剣山状回転体１０３の出口１０３ａから落下したパチンコ球は、左右に振り子動作しているＶ入賞口１０４とタイミングよく位置が合った時に入賞されて大当りとなり、Ｖ入賞口１０４と位置が合わなかった時には排出通路に導かれて外れとなる。尚、Ｖ入賞口１０４と位置が合わなかった時に外れパチンコ球が入る排出通路は、第２誘導路１０２から誘導されたパチンコ球が剣山状回転体１０３の障害壁１１２で弾かれて入る排出通路１２０と別に設けても良いし、前記排出通路１２０と繋げて設けても良い。また、パチンコ球が始動口３３へ入球することにより大入賞口３６が開口されるとともに剣山状回転体１０３が回転されＶ入賞口１０４が振り子動作されている。
【００５４】
Ｖ入賞口１０４の振り子動作は、種々の動作を行うことが可能であるが、Ｖ入賞口１０４が左端もしくは右端に位置した時に一旦止めるように制御することが好ましい。また、剣山状回転体１０３は右回転をしているので、剣山状回転体１０３から落下するパチンコ球は左側に落下し易い。このように落下する位置が左側に偏るが、Ｖ入賞口１０４の振り子動作を調整することにより遊技者側の不利益感を軽減することは可能である。
尚、遊技機の電源投入を契機に剣山状回転体１０３が回転されＶ入賞口１０４が振り子動作されても良い。
また、剣山状回転体１０３上にＶ入賞口が配置される構成としても良い。
【００５５】
４−２．シーソー振分装置
図９は、図１に示すシーソー振分装置３８を模式的に示す図である。図１０（Ａ）〜（Ｃ）は、図９に示すシーソー振分装置３８の詳細を示す斜視図である。
【００５６】
図９及び図１０に示すように、シーソー振分装置（前記第３振分装置に相当）３８は、シーソー部材１２７と、このシーソー部材１２７の上面１２７ａをシーソーのように左右を上下させるシーソー駆動機構を有している。このシーソー駆動機構は、第３モータ１２８を有しており、第３モータ１２８の回転力によってシーソー部材１２７を動かして上面１２７ａをシーソーのように左右を上下させるものである。例えば、図１０（Ａ）に示すシーソー部材１２７は上面１２７ａの左側を下に右側を上に位置させた状態であり、図１０（Ｂ）に示すシーソー部材１２７は上面１２７ａの左側と右側を同じ高さに位置させた状態であり、図１０（Ｃ）に示すシーソー部材１２７は上面１２７ａの左側を上に右側を下に位置させた状態である。
【００５７】
シーソー振分装置３８は、始動口３３にパチンコ球が入球したのを契機にシーソー部材１２７をシーソーのように動作させる。そして、第２誘導路１０２に振り分けられたパチンコ球１２９は、演出用スイッチ１０８を通過した後にシーソー部材１２７の上面１２７ａに到達し、その時のシーソー部材の上面１２７ａの傾き方によって矢印１３０，１３１のように第２誘導路１０２の下方ステージ１０９へ振り分けられるか、矢印１３２，１３３，１３４のように外れに相当する排出通路に振り分けられる。下方ステージ１０９へ振り分けられたパチンコ球は剣山状回転体１０３に向かう。
【００５８】
尚、シーソー振分装置３８は、遊技機の電源投入を契機にシーソー部材１２７をシーソーのように動作させても良い。
また、シーソー振分装置３８はシーソー部材１２７の片側を保持する構造となっているが、シーソー部材の先端下方又は先端左右等に滑りのよい部品を設け、この部品によってシーソー部材の両側を保持する構造としても良い。この場合、可動時に抵抗とならないように前記部品とシーソー部材の先端との間に隙間を設けることが好ましい。前記部品によってシーソー部材の撓みを抑えることができる。
【００５９】
４−３．誘導路振分装置
図１１は、図１に示す誘導路振分装置３７の内部を上から視た図である。
誘導路振分装置３７は、矢印のように回転する回転体１３５と、この回転体１３５を回転させる回転駆動機構とを有している。回転体１３５にはパチンコ球１３６が収容される２個所の穴１３７が設けられている。回転体１３５の下方には第１誘導路１０１へ繋がる開口１３８が設けられている。回転体１３５の周囲には第２誘導路１０２へ繋がる２つの開口１３９が設けられている。
【００６０】
誘導路振分装置３７は、始動口３３にパチンコ球が入球したのを契機に回転体１３５を回転させる。そして、大入賞口３６に入賞されたパチンコ球１３６がタイミングよく回転体１３５の穴１３７に収容されると、その穴１３７に保持されながら回転体１３５によって回転されたパチンコ球１３７が開口１３８に落下して第１誘導路１０１に振り分けられる。また、大入賞口３６に入賞されたパチンコ球１３６がタイミング悪く回転体１３５の穴１３７に収容されないと、回転体１３５の側面に遮られたパチンコ球１３７が開口１３９に落下して第２誘導路１０２に振り分けられる。尚、誘導路振分装置３７は、遊技機の電源投入を契機に回転体１３５を回転させても良い。
【００６１】
上記実施の形態によれば、障害壁１１２の大きさや数や間隔を変更する等という簡単な構造変更で第２誘導路１０２経由でのＶ入賞確率を容易に変更することができ、しかもパチンコ球が第２誘導路１０２に振り分けられた場合でも、剣山状回転体１０３に到達するか排出通路に排出されるかが決まる最後まで遊技者の期待を持続させることができる。また、どちらの誘導路に振り分けられても剣山状回転体１０３の上面に到達すれば、この到達したパチンコ球に限っては、本遊技機の設計思想を理解していない遊技者にとって同じ振分装置（第２振分装置）だからＶ入賞確率が同じように感じることができ、この点でも遊技者に対して期待を持続させることができる。このような遊技機は遊技者にとって魅力的であるため、遊技機を多量に販売することが期待でき、商業的成功に寄与する可能性がある。
【００６２】
尚、本発明は上記の実施の形態１に限定されず、本発明の主旨を逸脱しない範囲内で種々変更して実施することが可能である。
【００６３】
また、上記実施の形態から把握できる技術的思想について以下に記載する。
（１）請求項１において、前記回転駆動機構は、前記回転体を回転させる駆動源となる第１モータを有し、
前記第２振分装置は、前記Ｖ入賞口を振り子動作させる振り子駆動機構をさらに具備し、前記Ｖ入賞口は前記回転体の出口の下方に配置され、前記回転体の出口から落下した遊技球が振り子動作している前記Ｖ入賞口に入賞する大当り又は前記Ｖ入賞口に入賞せずに前記排出通路に排出する外れに振り分けられ、
前記振り子駆動機構は、くの字形状部材と、前記くの字形状部材のくの字に折れ曲がった部分を中心として振り子動作させる駆動源となる第２モータと、前記くの字形状部材における前記中心の一方側に設けられた前記Ｖ入賞口と、前記くの字形状部材における前記中心の他方側に設けられた長手方向に沿った長い穴と、前記長い穴に挿入された突起部材と、前記突起部材が上面に設けられ、前記第２モータによって回転される回転部材とを有し、
前記Ｖ入賞口を前記くの字形状部材に配置することにより、前記第２モータが前記第１モータに干渉しないように配置されることを特徴とする遊技機。
【００６４】
（２）請求項１又は技術思想（１）において、前記障害壁が複数設けられていることを特徴とする遊技機。
【００６５】
（３）請求項１、技術思想（１）及び（２）のいずれか一項において、前記回転体の上面には複数の突起が設けられており、前記複数の突起の配置が均一でないことを特徴とする遊技機。
【００６６】
（４）請求項１、技術思想（１）乃至（３）のいずれか一項において、前記大入賞装置は、前記第２誘導路に設けられた第３振分装置であって、前記第２誘導路によって誘導された遊技球が前記第２誘導路に再び振り分けられるか又は排出通路に排出されて前記Ｖ入賞口に入賞しない外れに振り分けられる第３振分装置をさらに具備することを特徴とする遊技機。
【００６７】
（５）技術思想（４）において、前記第３振分装置は、シーソー部材と、該シーソー部材の上面をシーソーのように左右を上下させるシーソー駆動機構とを有することを特徴とする遊技機。
【図面の簡単な説明】
【００６８】
【図１】実施の形態１による遊技盤を模式的に示す前面図。
【図２】実施の形態１による遊技機の全体構成を示す前面図。
【図３】実施の形態１による遊技機の全体構成を示す後面図。
【図４】実施の形態１による遊技機の電気的構成を示すブロック図。
【図５】大入賞装置の動作上の流れを示す図。
【図６】図１に示す剣山状回転体及びＶ入賞口を備えた振り子装置を示す斜視図。
【図７】図６に示す剣山状回転体及びＶ入賞口を模式的に示す図。
【図８】図６及び図７に示すＶ入賞口の詳細を示す平面図。
【図９】図１に示すシーソー振分装置を模式的に示す図。
【図１０】（Ａ）〜（Ｃ）は、図９に示すシーソー振分装置の詳細を示す斜視図。
【図１１】図１に示す誘導路振分装置の内部を上から視た図。
【符号の説明】
【００６９】
１４…遊技盤、１８…遊技領域、３３…始動口、３５…大入賞装置、３６…大入賞口、３７…誘導路振分装置、１０１…第１誘導路（甘ルート）、１０２…第２誘導路（辛ルート）、１０３…剣山状回転体、１０４…Ｖ入賞口、１１２…障害壁、１２０…排出通路
【図１】
2008178460.tif 000003
【図２】
2008178460.tif 000004
【図３】
2008178460.tif 000005
【図４】
2008178460.tif 000006
【図５】
2008178460.tif 000007
【図６】
2008178460.tif 000008
【図７】
2008178460.tif 000009
【図８】
2008178460.tif 000010
【図９】
2008178460.tif 000011
【図１０】
2008178460.tif 000012
【図１１】
2008178460.tif 000013